(57)【要約】【課題】ユーザの操作性を向上させることが可能な受信装置を提供すること。【解決手段】信号を受信する受信手段（受信回路３０）と、受信手段によって受信された信号の所定の帯域成分を通過させる濾波手段（帯域制限フィルタ１１）と、濾波手段によって通過された信号を再生する再生手段（スピーカ５０）と、受信手段の受信周波数を所定の周波数に同調させる同調手段（適応フィルタ１２）と、同調手段による同調が完了した場合には、濾波手段の帯域特性を調整する調整手段（フィルタ特性切換処理部）と、を有する。【選択図】図１
2008288657.tif 000002
【特許請求の範囲】
【請求項１】
信号を受信する受信手段と、
上記受信手段によって受信された信号の所定の帯域成分を通過させる濾波手段と、
上記濾波手段によって通過された信号を再生する再生手段と、
上記受信手段の受信周波数を所定の周波数に同調させる同調手段と、
上記同調手段による同調が完了した場合には、上記濾波手段の帯域特性を調整する調整手段と、
を有することを特徴とする受信装置。
【請求項２】
前記調整手段は、前記同調手段による同調が完了した場合には、前記濾波手段の通過帯域が同調前よりも狭くなるように調整することを特徴とする請求項１記載の受信装置。
【請求項３】
前記受信手段の受信周波数を変更する変更手段を有し、
前記調整手段は、上記変更手段によって受信周波数を変更する際には、前記濾波手段の通過帯域が前記同調手段による同調が完了した場合よりも広くなるように調整することを特徴とする請求項２記載の受信装置。
【請求項４】
前記変更手段によって受信周波数を変更する際の前記濾波手段の通過帯域を複数の候補の中から選択する選択手段を有することを特徴とする請求項３記載の受信装置。
【請求項５】
前記受信手段の受信周波数と同じ周波数にて信号を送信する送信手段を有する請求項１から４のいずれか１項記載の送受信装置。
【請求項６】
信号を受信する受信ステップと、
上記受信ステップにおいて受信された信号の所定の帯域成分を通過させる濾波ステップと、
上記濾波ステップにおいて通過された信号を再生する再生ステップと、
上記受信ステップによる受信周波数を所定の周波数に同調させる同調ステップと、
上記同調ステップによる同調が完了した場合には、上記濾波ステップの帯域特性を調整する調整ステップと、
を有することを特徴とする受信方法。
【発明の詳細な説明】
【技術分野】
【０００１】
本発明は、受信装置、送受信装置、および、受信方法に関する。
【背景技術】
【０００２】
従来、無線機において、ＣＷ（Continuous Wave）通信モードで相手局と交信するためには、相手局の周波数と自局の周波数を一致（同調）させる必要がある。これを簡易な構成で高速に実行する方法として、特許文献１および特許文献２に開示される技術がある。
【０００３】
また、帯域制限フィルタを有する受信機において、帯域制限フィルタをフィルタ係数の切り換え可能なディジタル帯域制限フィルタとし、帯域幅の異なる複数のフィルタ特性の中から所望の特性を選択する技術として、特許文献３に開示される技術がある。このような技術によれば、無線機を操作する人が、必要に応じてディジタルフィルタの通過帯域を選択することにより、目的の信号（受信信号）の周辺に存在する混信信号または雑音をフィルタの帯域外に排除し、目的の信号の明瞭度を上げることができる。
【０００４】
近年では、前述したこれらの技術がＣＷ通信を行うために利用されている。また、これら双方の技術を備えた無線機も市場に流通している。
【０００５】
図７は、特許文献１または特許文献２に開示された技術を利用した無線機の構成例である。図７に示す無線機は、ＤＳＰ１００、ＭＰＵ１１０、受信回路１２０、周波数シンセサイザ１３０、および、スピーカ１４０から構成されている。また、ＤＳＰ１００は、適応フィルタ１０１を有している。
【０００６】
ここで、入力信号は、受信回路１２０に入力される。受信回路１２０は、周波数シンセサイザ１３０から供給される所定の周波数信号の入力を受け、入力信号に対して受信処理を施す。受信回路１２０から出力された信号は、ＤＳＰ１００に入力され、適応フィルタ１０１に供給される。適応フィルタ１０１は、受信信号において最大の振幅を有する周波数の信号に対してノッチ周波数が追従する。ＤＳＰ１００は、適応フィルタ１０１のフィルタ係数から受信信号中の最大振幅の周波数を計算し、この周波数と予め設定された周波数との差分周波数情報Ｆを計算し、ＭＰＵ１１０に出力する。
【０００７】
ＭＰＵ１１０は、ＤＳＰ１００の差分周波数情報Ｆに基づいて受信周波数データを生成し、周波数シンセサイザ１３０に出力する。例えば、受信回路１２０が１４．１００ＭＨｚの信号を受信した場合に、受信回路１２０が８００Ｈｚのビート音を出力するとする。その場合、受信周波数が−５００Ｈｚずれている場合（受信周波数が１４．０９９５ＭＨｚの場合）には、受信回路１２０は１３００Ｈｚのビート音を出力する。その場合、適応フィルタ１０１のノッチ周波数は１３００Ｈｚとなり、この適応フィルタ１０１のフィルタ係数がＤＳＰ１００に取得される。ＤＳＰ１００は、予め設定された周波数である８００Ｈｚとの差を求め、これを差分周波数情報ＦとしてＭＰＵ１１０に供給する。
【０００８】
ＭＰＵ１１０は、差分周波数情報Ｆを入力し、受信周波数が＋５００Ｈｚであるという判断をするとともに、この差が“０”になるように、周波数シンセサイザ１３０に対して受信周波数データを供給する。このような動作を繰り返すことにより、受信周波数を１４．１００ＭＨｚに設定することができる。
【０００９】
図８は、特許文献３に示す技術を利用した受信機の構成を示す図である。この例では、受信機は、ＤＳＰ１００、ＭＰＵ１１０、受信回路１２０、周波数シンセサイザ１３０、スピーカ１４０、係数ＲＯＭ１５０、フィルタ特性選択指示部１６０、および、周波数変更指示部１７０によって構成されている。また、ＤＳＰ１００は、帯域制限フィルタ１０２を有している。さらに、ＭＰＵ１１０は、フィルタ特性切換処理部１１１および周波数データ作成処理部１１２を有している。
【００１０】
この例では、周波数変更指示部１７０が操作されると、ＭＰＵ１１０の周波数データ作成処理部１１２が操作内容に応じた受信周波数データを生成し、周波数シンセサイザ１３０に供給する。周波数シンセサイザ１３０は、受信周波数データに応じた周波数信号を生成し、受信回路１２０に供給する。受信回路１２０は、周波数シンセサイザ１３０からの周波数信号に応じた受信処理を入力信号に対して施し、ＤＳＰ１００に出力する。ＤＳＰ１００は、帯域制限フィルタ１０２によって、受信回路１２０から入力された信号に対して帯域制限処理を施し、スピーカ１４０に供給する。スピーカ１４０は、ＤＳＰ１００から供給された信号に対応する音声を出力する。
【００１１】
ここで、フィルタ特性選択指示部１６０が操作されると、ＭＰＵ１１０のフィルタ特性切換処理部１１１が、操作内容に応じた特性のフィルタ係数を係数ＲＯＭ１５０から取得し、ＤＳＰ１００に供給する。ＤＳＰ１００は、フィルタ特性切換処理部１１１から供給されたフィルタ係数を帯域制限フィルタ１０２に設定する。これにより、受信回路１２０から出力された信号は、所望の特性を有する帯域制限フィルタ１０２によってフィルタリングされ、フィルタリング後の音声信号によってスピーカ１４０が駆動される。このような構成によれば、受信信号に混信信号または雑音信号が含まれている場合であっても、これらを適宜除去することにより、音声の明瞭度を向上させることができる。
【００１２】
【特許文献１】特開平１０−１７３４９１号公報（特許請求の範囲、要約書）
【００１３】
【特許文献２】特開平１０−２２９３４９号公報（特許請求の範囲、要約書）
【００１４】
【特許文献３】特開平３−１１８１２号公報（特許請求の範囲、要約書）
【発明の開示】
【発明が解決しようとする課題】
【００１５】
ところで、前述した２つの技術を備えた無線機をＣＷ通信モードで使用する場合、図７で説明した技術を用いて、相手局と自局の周波数を一致させることができるが、混信信号または雑音信号が存在する場合、通信の明瞭度が低下し、快適に交信を行うことができないという問題がある。
【００１６】
そのため、図８で示す技術を用い、狭い帯域のフィルタを選択して混信または雑音を抑圧することにより、音声の明瞭度を向上させることができるが、これらは独立した機能として存在するために、ユーザはこれらのそれぞれに対する操作を行う必要があり、煩雑である。すなわち、ユーザは、周波数を一致させるための操作を行った後に、フィルタを選択する操作を行う必要があるため、操作が煩雑となるという問題点がある。
【００１７】
また、目的の信号の明瞭度を向上させるために図８に示す技術によって、帯域制限フィルタ１０２の帯域を狭めた場合、現在の相手局との間の交信が終了した後に、別の相手局を探すときには、帯域制限フィルタ１０２の通過帯域が広くなるように設定した方がよい。したがって、ユーザは、新たな交信相手を探す際には、帯域制限フィルタ１０２を再度選択し直す必要があるため、操作が煩雑であるという問題点がある。
【００１８】
本発明は、上記の事情に基づきなされたもので、その目的とするところは、ユーザの操作性を向上させることが可能な受信装置、送受信装置、および、受信方法を提供することを目的とする。
【課題を解決するための手段】
【００１９】
上述の目的を達成するため、本発明の受信装置は、信号を受信する受信手段と、受信手段によって受信された信号の所定の帯域成分を通過させる濾波手段と、濾波手段によって通過された信号を再生する再生手段と、受信手段の受信周波数を所定の周波数に同調させる同調手段と、同調手段による同調が完了した場合には、濾波手段の帯域特性を調整する調整手段と、を有する。
【００２０】
また、他の発明の受信装置は、前述の発明に加えて、調整手段が、同調手段による同調が完了した場合には、濾波手段の通過帯域が同調前よりも狭くなるように調整するようにしている。
【００２１】
また、他の発明の受信装置は、前述の発明に加えて、受信手段の受信周波数を変更する変更手段を有し、調整手段が、変更手段によって受信周波数を変更する際には、濾波手段の通過帯域が同調手段による同調が完了した場合よりも広くなるように調整するようにしている。
【００２２】
また、他の発明の受信装置は、前述の発明に加えて、変更手段によって受信周波数を変更する際の濾波手段の通過帯域を複数の候補の中から選択する選択手段を有するようにしている。
【００２３】
また、本発明の送受信装置は、前述の発明に加えて、受信手段の受信周波数と同じ周波数にて信号を送信する送信手段を有するようにしている。
【００２４】
また、本発明の受信方法は、信号を受信する受信ステップと、受信ステップにおいて受信された信号の所定の帯域成分を通過させる濾波ステップと、濾波ステップにおいて通過された信号を再生する再生ステップと、受信ステップによる受信周波数を所定の周波数に同調させる同調ステップと、同調ステップによる同調が完了した場合には、濾波ステップの帯域特性を調整する調整ステップと、を有するようにしている。
【発明の効果】
【００２５】
本発明によれば、ユーザの操作性を向上させることが可能な受信装置、送受信装置、および、受信方法を提供することができる。
【発明を実施するための最良の形態】
【００２６】
以下、本発明の一実施の形態について図に基づいて説明する。なお、以下では、（Ａ）実施の形態の構成例、（Ｂ）実施の形態の動作の概要、（Ｃ）実施の形態の動作の詳細、および、（Ｄ）変形実施の態様の順に説明する。なお、本発明の受信方法については、本発明の実施の形態の無線機の動作として説明する。
【００２７】
（Ａ）実施の形態の構成例
【００２８】
図１は、本発明の実施の形態の無線機の構成例を示すブロック図である。この図に示すように、本発明の実施の形態の無線機は、ＤＳＰ（Digital Signal Processor）１０、ＭＰＵ（Main Processing Unit）２０、受信回路３０、周波数シンセサイザ４０、スピーカ５０、係数ＲＯＭ（Read Only Memory）６０、フィルタ特性選択指示部７０、周波数変更指示部８０、および、同調開始指示部９０を主要な構成要素としている。なお、これ以外にも送信手段としての送信回路その他を有しているが、当該部分については省略する。
【００２９】
ここで、ＤＳＰ１０は、内蔵されているメモリ（不図示）に格納されているプログラムに基づいて各種演算処理を実行する演算装置である。なお、この例では、プログラムを実行することにより、帯域制限フィルタ１１および適応フィルタ１２その他が実現される。濾波手段としての帯域制限フィルタ１１は、所定の帯域を通過させるＢＰＦ（Band Pass Filter）であり、例えば、図２（Ａ），（Ｂ）および図３に示すように異なる通過特性のフィルタのひとつを実現する。図２（Ａ）の例は、本実施の形態において受信されるＣＷ（Continuous Wave）受信信号のＡＦ（Audio Frequency）を中心として１ｋＨｚの帯域幅を有する通過特性を有する例である。図２（Ｂ）はＡＦを中心として５００Ｈｚの帯域幅を有する通過特性を有する例である。また、図３は、ＡＦを中心として２００Ｈｚの帯域幅を有する通過特性を有する例である。これらの特性を実現するためのフィルタ係数は、後述するように係数ＲＯＭ６０に格納されており、フィルタ特性切換処理部２２によって所定の通過特性に対応するフィルタ係数が選択的に読み出されてＤＳＰ１０に供給される。ＤＳＰ１０は、フィルタ特性切換処理部２２から供給されたフィルタ係数に応じた特性を有する帯域制限フィルタ１１を実現する。帯域制限フィルタ１１を通過した信号はスピーカ５０に供給され音声として出力される。
【００３０】
同調手段の一部としての適応フィルタ１２は、例えば、ＩＩＲ（Infinite Impulse Response）フィルタによって実現され、受信回路３０から供給される受信信号の中で最大振幅を持つ周波数にノッチ周波数が追従するように、そのフィルタ係数を変化させる。ＤＳＰ１０は、適応フィルタ１２のフィルタ係数に基づいて、受信信号中の最大振幅を有する信号の周波数を特定し、特定された周波数と予め定められた特定の周波数との差を計算し、差分周波数情報ＦとしてＭＰＵ２０に出力する。例えば、受信回路３０が１４．１００ＭＨｚの信号を受信した場合に、受信回路３０が８００Ｈｚのビート音を出力するとする。その場合、受信周波数が−５００Ｈｚずれている場合（受信周波数が１４．０９９５ＭＨｚの場合）には、受信回路３０は１３００Ｈｚのビート音を出力する。その場合、適応フィルタ１２のノッチ周波数は１３００Ｈｚとなり、この適応フィルタ１２のフィルタ係数がＤＳＰ１０に取得される。ＤＳＰ１０は、予め設定された周波数である８００Ｈｚとの差を求め、これを差分周波数情報ＦとしてＭＰＵ２０に供給する。
【００３１】
ＭＰＵ２０は、例えば、図示せぬＣＰＵ（Central Processing Unit）、ＲＯＭ、ＲＡＭ（Random Access Memory）等を有しており、ＲＯＭに記憶されているプログラムに基づいて各種の処理を実行するとともに、図示する機能を実現する。具体的には、ＭＰＵ２０には、周波数同調判定処理部２１、フィルタ特性切換処理部２２、および、周波数データ作成処理部２３が実現される。ここで、同調手段の一部としての周波数同調判定処理部２１は、周波数の同調に関する処理を実行する。具体的には、周波数同調判定処理部２１は、同調開始指示部９０から指示がなされた場合に動作を開始し、周波数同調判定動作中であることを記憶する。そして、ＤＳＰ１０からの差分周波数情報Ｆを周波数データ作成処理部２３に供給し、差分周波数情報Ｆが“０”になった場合には、周波数同調判定動作中である記憶を解除（削除）し、フィルタ特性切換処理部２２に対して、周波数同調完了を通知する。
【００３２】
調整手段としてのフィルタ特性切換処理部２２は、フィルタ特性選択指示部７０、周波数変更指示部８０、または、周波数同調判定処理部２１からの指示に基づいて対応するフィルタ係数を係数ＲＯＭ６０から読み出して、ＤＳＰ１０の帯域制限フィルタ１１に設定する。具体的には、フィルタ特性切換処理部２２は、フィルタ特性選択指示部７０からの指示に基づいて対応するフィルタ係数を係数ＲＯＭ６０から読み出して、ＤＳＰ１０の帯域制限フィルタ１１に設定する。また、フィルタ特性切換処理部２２は、周波数同調判定処理部２１から周波数同調完了通知がなされた場合には、周波数同調完了状態を記憶するとともに、係数ＲＯＭ６０から所定の狭い通過帯域のフィルタ係数を読み出して、ＤＳＰ１０の帯域制限フィルタ１１に設定する。さらに、フィルタ特性切換処理部２２は、周波数変更指示部８０から受信周波数を変更する指示がなされた場合には、まず、周波数同調完了状態が記憶されているか否かを判定し、記憶されている場合には周波数同調完了状態の記憶を解除するとともに、フィルタ特性選択指示部７０によって選択されたフィルタ係数を係数ＲＯＭ６０から読み出して、ＤＳＰ１０の帯域制限フィルタ１１に設定する。
【００３３】
同調手段の一部および変更手段の一部としての周波数データ作成処理部２３は、周波数同調判定処理部２１および周波数変更指示部８０からの指示に基づいて、対応する受信周波数データを生成し、周波数シンセサイザ４０に供給する。具体的には、周波数データ作成処理部２３は、周波数変更指示部８０が操作された場合には、操作内容に応じた受信周波数データを生成し、周波数シンセサイザ４０に供給する。また、周波数データ作成処理部２３は、周波数同調判定処理部２１から差分周波数情報が供給された場合には、差分周波数を“０”にするような受信周波数データを生成して、周波数シンセサイザ４０に供給する。
【００３４】
受信回路３０は、周波数シンセサイザ４０から供給される周波数信号に基づいて、入力信号に対して所定の受信処理を施して出力する。
【００３５】
周波数シンセサイザ４０は、例えば、ＰＬＬ（Phase Locked Loop）等によって構成され、周波数データ作成処理部２３から供給される受信周波数データに基づいた所定の周波数で発振し、周波数信号を生成して受信回路３０に供給する。
【００３６】
受信手段としてのスピーカ５０は、ＤＳＰ１０から供給される音声信号（アナログ信号）に対応する音声を出力する電気−音響変換装置である。
【００３７】
選択手段の一部としての係数ＲＯＭ６０は、図２および図３に示す特性のＢＰＦを実現するための係数を格納している。具体的には、ＩＩＲフィルタまたはＦＩＲ（Finite Impulse Response）のフィルタ係数を格納している。
【００３８】
選択手段の一部としてのフィルタ特性選択指示部７０は、例えば、操作ボタン等によって構成され、当該操作ボタンが操作された場合に、操作内容に応じた情報を生成してフィルタ特性切換処理部２２に対して出力する。
【００３９】
変更手段の一部としての周波数変更指示部８０は、例えば、操作ボタン等によって構成され、当該操作ボタンが操作された場合に、操作内容に応じた情報を生成してフィルタ特性切換処理部２２および周波数データ作成処理部２３に対して出力する。
【００４０】
同調開始指示部９０は、例えば、操作ボタン等によって構成され、当該操作ボタンが操作された場合に、操作内容に応じた情報を生成して周波数同調判定処理部２１に対して出力する。
【００４１】
（Ｂ）実施の形態の動作の概要
【００４２】
つぎに、本発明の実施の形態の動作の概要について説明する。本実施の形態の無線機により、ＣＷ方式による通信を開始する場合、相手局を容易に探し出すことができるように、ユーザは、フィルタ特性選択指示部７０を操作して、帯域制限フィルタ１１を広い通過帯域の特性に設定する。例えば、図２（Ａ）に示す通過帯域のフィルタに設定する。これにより、複数の相手局の受信信号がスピーカ５０から出力されるので、微弱な信号であっても聞き落としを少なくすることができる。なお、このようにして選択されたフィルタの特性は、フィルタ特性切換処理部２２に記憶される。
【００４３】
つぎに、ユーザは、周波数変更指示部８０を操作し、受信回路３０の受信周波数を変更する。このとき、受信回路３０によって受信された受信信号は、帯域制限フィルタ１１を通過した後にスピーカ５０から出力されるので、スピーカ５０から出力される音を聞くことにより、ユーザは相手局からの信号を認識できる。
【００４４】
そして、相手局が決まった場合には、ユーザは、同調開始指示部９０を操作する。すると、適応フィルタ１２は、受信信号に含まれている最大の振幅を有する周波数に追従し、受信回路３０は当該周波数を同調する動作を実行する（詳細は後述する）。同調動作が完了すると、フィルタ特性切換処理部２２は、帯域制限フィルタ１１の特性を、例えば、図３の特性のフィルタに自動的に切り換える。これにより、帯域制限フィルタ１１を通過する信号からは、混信信号および雑音信号が除去されるため、明瞭度が向上する。
【００４５】
相手局との交信が完了し、つぎの相手局を探す場合、ユーザは、周波数変更指示部８０を再度操作する。その結果、周波数データ作成処理部２３が操作内容に応じた受信周波数データを生成して周波数シンセサイザ４０に供給して受信周波数を変更する。このとき、フィルタ特性切換処理部２２は、前述したように、記憶しているフィルタ特性を係数ＲＯＭ６０から取得し、帯域制限フィルタ１１に設定する。これらの動作は自動的に行われる。具体的には、フィルタ特性切換処理部２２は、図２（Ａ）に示す特性を記憶しているので、帯域制限フィルタ１１は、図２（Ａ）に示す特性となる。これにより、前述したように、複数の相手局の受信信号がスピーカ５０から出力されるので、微弱な信号であっても聞き落としを少なくすることができる。
【００４６】
相手局が見つかった場合には、前述の場合と同様に、ユーザが同調開始指示部９０を操作し、同調処理が実行された後、帯域制限フィルタ１１が図３の特性に自動的に変更される。
【００４７】
以上に説明したように、本発明の実施の形態では、同調動作が完了した後に、帯域制限フィルタ１１の通過特性を狭い特性に自動的に変更するようにしたので、交信の明瞭度を向上させることができる。
【００４８】
また、本発明の実施の形態では、交信が完了した後に、新たな相手局を探す際には（周波数変更指示部８０が操作された際には）、帯域制限フィルタ１１の通過特性を狭い特性から、広い特性に自動的に変更するようにしたので、相手局を容易に見つけることが可能になる。また、自動的に変更されることから、ユーザは煩雑な操作を行う必要がない。
【００４９】
さらに、本発明の実施の形態では、フィルタ特性選択指示部７０によって帯域制限フィルタ１１の特性を任意に変更できるようにしたので、相手局の数または通信状況に応じた最適なフィルタを選択することができる。
【００５０】
（Ｃ）実施の形態の動作の詳細
【００５１】
つぎに、本発明の実施の形態の詳細な動作について説明する。
【００５２】
図４は、図１に示す周波数同調判定処理部２１の動作の一例を説明するフローチャートである。このフローチャートの処理が開始されると、以下のステップが実行される。
【００５３】
ステップＳ１０：周波数同調判定処理部２１は、周波数同調判定動作中であることを記憶しているか否かを判定し、記憶している場合（周波数同調判定動作中である場合）（ＹＥＳ（以下、単に「Ｙ」と記述する））にはステップＳ１３に進み、それ以外の場合（ＮＯ（以下、単に「Ｎ」と記述する））にはステップＳ１１に進む。なお、同調開始指示部９０が操作された場合には後述するステップＳ１２において周波数同調判定動作中であることが記憶されるので、その場合にはステップＳ１３に進む。
【００５４】
ステップＳ１１：周波数同調判定処理部２１は、同調開始指示部９０が操作されて、同調開始指示がなされたか否かを判定し、指示がなされた場合にはステップＳ１２に進み、それ以外の場合にはステップＳ１７に進む。
【００５５】
ステップＳ１２：周波数同調判定処理部２１は、周波数同調判定動作中であることを記憶する。この結果、これ以降の処理では、ステップＳ１０においてＹと判定される。
【００５６】
ステップＳ１３：周波数同調判定処理部２１は、ＤＳＰ１０から供給される差分周波数情報Ｆを参照し、差分周波数が“０”であるか否かを判定し、“０”でない場合にはステップＳ１４に進み、それ以外の場合にはステップＳ１５に進む。具体的には、周波数同調判定動作が完了し、受信信号中の最大の振幅を有する周波数に同調した場合には差分周波数が“０”となるので、ステップＳ１５に進む。
【００５７】
ステップＳ１４：周波数同調判定処理部２１は、ＤＳＰ１０から供給される差分周波数情報Ｆを、周波数データ作成処理部２３に供給する。これにより、周波数データ作成処理部２３は、差分周波数情報Ｆに基づいて受信周波数データを生成し、周波数シンセサイザ４０に供給する。このような動作は、差分周波数が“０”となるまで繰り返され、その結果、受信回路３０の受信周波数が、最大振幅を有する周波数に同調される。
【００５８】
ステップＳ１５：周波数同調判定処理部２１は、周波数同調判定動作中である記憶を解除する。
【００５９】
ステップＳ１６：周波数同調判定処理部２１は、フィルタ特性切換処理部２２に対して、周波数同調完了を通知する。なお、この通知を受けたフィルタ特性切換処理部２２は、後述する図５のステップＳ３３においてＹと判定し、帯域制限フィルタ１１の特性を狭い特性に変更する。
【００６０】
ステップＳ１７：周波数同調判定処理部２１は、処理を終了するか否かを判定し、終了しない場合にはステップＳ１０に戻って前述の場合と同様の処理を繰り返し、それ以外の場合には処理を終了する。具体的には、無線機の電源がオフの状態にされた場合には、終了すると判定し、それ以外の場合にはステップＳ１０に戻って同様の処理を繰り返す。
【００６１】
以上の処理により、同調開始指示部９０が操作された場合には、受信信号の中で最大の振幅を有する周波数に対して受信周波数を同調させることができる。また、同調が完了した場合には、周波数同調完了をフィルタ特性切換処理部２２に通知することができる。
【００６２】
つぎに、図５を参照して、図１に示すフィルタ特性切換処理部２２の動作について説明する。このフローチャートの処理が開始されると、以下のステップが実行される。
【００６３】
ステップＳ３０：フィルタ特性切換処理部２２は、フィルタ特性選択指示部７０が操作されたか否かを判定し、操作された場合にはステップＳ３１に進み、それ以外の場合にはステップＳ３３に進む。
【００６４】
ステップＳ３１：フィルタ特性切換処理部２２は、フィルタ特性選択指示部７０が操作されて選択されたフィルタ特性を記憶する。例えば、図２（Ａ）に示す特性が選択された場合には、これを記憶する。具体的には、図２および図３に示すフィルタの特性には、例えば、シリアル番号が付与されており、また、係数ＲＯＭ６０に格納されている係数にも対応するシリアル番号が付与されている。フィルタ特性選択指示部７０が操作されるといずれかのシリアル番号が選択され、フィルタ特性切換処理部２２は、選択されたシリアル番号を記憶する。
【００６５】
ステップＳ３２：フィルタ特性切換処理部２２は、ステップＳ３１において選択されたフィルタ特性に対応するフィルタ係数を係数ＲＯＭ６０から取得する。具体的には、フィルタ特性切換処理部２２は、選択された特性に対応するシリアル番号を特定し、当該シリアル番号に対応するフィルタ係数を係数ＲＯＭ６０から取得する。
【００６６】
ステップＳ３３：フィルタ特性切換処理部２２は、周波数同調判定処理部２１から周波数同調完了通知があったか否かを判定し、通知があった場合にはステップＳ３４に進み、それ以外の場合にはステップＳ３６に進む。
【００６７】
ステップＳ３４：フィルタ特性切換処理部２２は、周波数同調完了状態を記憶する。この結果、これ以降は、ステップＳ３７においてＹと判定される。
【００６８】
ステップＳ３５：フィルタ特性切換処理部２２は、所定の狭い通過特性のフィルタ係数を係数ＲＯＭ６０から取得する。具体的には、フィルタ特性切換処理部２２は、図３に示すフィルタ特性に対応するフィルタ係数を取得する。
【００６９】
ステップＳ３６：フィルタ特性切換処理部２２は、周波数変更指示部８０が操作されたか否かを判定し、操作された場合にはステップＳ３７に進み、それ以外の場合にはステップＳ３０に戻って同様の処理を繰り返す。
【００７０】
ステップＳ３７：フィルタ特性切換処理部２２は、周波数同調完了状態を記憶しているか否かを判定し、記憶している場合にはステップＳ３８に進み、それ以外の場合にはステップＳ３０に戻って同様の処理を繰り返す。具体的には、ステップＳ３４において、周波数同調完了状態を記憶している場合には、ステップＳ３８に進む。
【００７１】
ステップＳ３８：フィルタ特性切換処理部２２は、周波数同調完了状態の記憶を解除する。これにより、これ以降の処理では、ステップＳ３７においてＮと判定される。
【００７２】
ステップＳ３９：フィルタ特性切換処理部２２は、ステップＳ３１で記憶したフィルタ特性に対応するフィルタ係数を係数ＲＯＭ６０から取得する。例えば、図２（Ａ）に示す特性が記憶されている場合には、この特性に対応するフィルタ係数が係数ＲＯＭ６０から取得される。
【００７３】
ステップＳ４０：フィルタ特性切換処理部２２は、ステップＳ３２，Ｓ３５，Ｓ３９で取得したフィルタ係数をＤＳＰ１０に供給する。これにより、フィルタ特性選択指示部７０が操作された場合には、選択されたフィルタ係数がＤＳＰ１０に供給される。また、周波数同調完了通知があった場合には、所定の狭い通過特性のフィルタ係数がＤＳＰ１０に供給される。さらに、周波数変更指示部８０が操作された場合であって、周波数同調完了通知を記憶している場合（所定の狭い通過特性のフィルタ係数が設定されている場合）には、ステップＳ３１において選択されたフィルタ係数がＤＳＰ１０に供給される。
【００７４】
ステップＳ４１：フィルタ特性切換処理部２２は、処理を終了するか否かを判定し、終了しない場合にはステップＳ３０に戻って同様の処理を繰り返し、それ以外の場合には処理を終了する。具体的には、無線機の電源がオフの状態にされた場合には、終了すると判定し、それ以外の場合にはステップＳ３０に戻って同様の処理を繰り返す。
【００７５】
以上の処理により、フィルタ特性選択指示部７０が操作された場合には、操作内容に応じたフィルタ係数が係数ＲＯＭ６０から取得されてＤＳＰ１０に供給される。また、同調開始指示部９０が操作されて周波数同調完了通知がなされた場合には、所定の狭い通過特性のフィルタ係数が係数ＲＯＭ６０から取得されてＤＳＰ１０に供給される。さらに、周波数同調処理が実行されて所定の狭い通過特性のフィルタ係数が適用されている状態において、周波数変更指示部８０が操作された場合には、フィルタ特性選択指示部７０が操作されて選択されたフィルタ特性のフィルタ係数が係数ＲＯＭ６０から取得されてＤＳＰ１０に供給される。
【００７６】
つぎに、図６を参照して、図１に示す周波数データ作成処理部２３の動作について説明する。このフローチャートの処理が開始されると、以下のステップが実行される。
【００７７】
ステップＳ６０：周波数データ作成処理部２３は、周波数変更指示部８０が操作されたか否かを判定し、操作された場合にはステップＳ６１に進み、それ以外の場合にはステップＳ６２に進む。
【００７８】
ステップＳ６１：周波数データ作成処理部２３は、周波数変更指示部８０の操作内容に応じた受信周波数データを生成する。例えば、周波数を高い方にシフトさせる操作がされた場合には、現在の受信周波数データを所定の値だけ増加させる。
【００７９】
ステップＳ６２：周波数データ作成処理部２３は、周波数同調判定処理部２１から差分周波数情報Ｆが供給されたか否かを判定し、供給された場合にはステップＳ６３に進み、それ以外の場合にはステップＳ６０に戻って同様の処理を繰り返す。
【００８０】
ステップＳ６３：周波数データ作成処理部２３は、差分周波数を“０”にするような受信周波数データ作成する。
【００８１】
ステップＳ６４：周波数データ作成処理部２３は、ステップＳ６１またはステップＳ６３において生成された受信周波数データを周波数シンセサイザ４０に供給する。これにより、周波数シンセサイザ４０は、受信周波数データに基づいた周波数信号を生成し、受信回路３０に供給する。受信回路３０は、周波数信号に基づいて受信処理を実行する。
【００８２】
ステップＳ６５：周波数データ作成処理部２３は、処理を終了するか否かを判定し、終了しない場合にはステップＳ６０に戻って同様の処理を繰り返し、それ以外の場合には処理を終了する。具体的には、無線機の電源がオフの状態にされた場合には、終了すると判定し、それ以外の場合にはステップＳ６０に戻って同様の処理を繰り返す。
【００８３】
以上の処理により、周波数変更指示部８０が操作された場合には、操作内容に応じて受信回路３０の受信周波数を変更することができる。また、周波数同調判定処理部２１から差分周波数が供給された場合には、当該差分周波数が“０”になるように受信周波数を調整することができる。
【００８４】
つぎに、図４〜６を参照して、本発明の実施の形態の具体的な動作について説明する。
【００８５】
ＣＷ方式による通信を開始する場合、相手局を容易に探し出すことができるように、ユーザは、フィルタ特性選択指示部７０を操作して、帯域制限フィルタ１１を広帯域な特性に設定する。例えば、ユーザがフィルタ特性選択指示部７０を操作して、図２（Ａ）に示す特性を選択したとすると、フィルタ特性切換処理部２２は、図５のステップＳ３０においてＹと判定し、ステップＳ３１に進み、選択されたフィルタ特性を記憶するとともに、ステップＳ３２において選択されたフィルタ係数を係数ＲＯＭ６０から取得し、ステップＳ４０においてＤＳＰ１０に供給する。この結果、帯域制限フィルタ１１の特性は図２（Ａ）の特性となる。これにより、複数の相手局の受信信号がスピーカ５０から出力されるので、微弱な信号であっても聞き落としを少なくすることができる。
【００８６】
つぎに、ユーザは、周波数変更指示部８０を操作し、受信回路３０の受信周波数を変更する。すなわち、ユーザが周波数変更指示部８０を操作すると、周波数データ作成処理部２３は、図６のステップＳ６０においてＹと判定し、ステップＳ６１において操作内容に応じた受信周波数データを生成し、ステップＳ６４において周波数シンセサイザ４０に供給する。これにより、周波数変更指示部８０の操作内容に応じて受信周波数が変更される。このとき、受信回路３０によって受信された受信信号は、帯域制限フィルタ１１を通過した後にスピーカ５０から出力されるので、スピーカ５０から出力される音を聞くことにより、相手局からの信号を確認できる。なお、その際、フィルタ特性切換処理部２２は、図５のステップＳ３６においてＹと判定するが、周波数同調完了状態を記憶していないので、ステップＳ３７においてＮと判定し、ステップＳ３０に戻って同様の処理を繰り返す。
【００８７】
そして、相手局が定まった場合には、ユーザは、同調開始指示部９０を操作する。すると、適応フィルタ１２は、受信信号に含まれている最大の振幅を有する周波数に追従する。また、このとき、周波数同調判定処理部２１は、図４のステップＳ１１においてＹと判定し、ステップＳ１２に進み、周波数同調判定動作中であることを記憶し、ステップＳ１３に進む。ステップＳ１３では、差分周波数が“０”であるかを判定し、“０”でない場合にはステップＳ１４に進み、差分周波数を周波数データ作成処理部２３に供給する。周波数データ作成処理部２３は、差分周波数情報が供給されるので、図６のステップＳ６２においてＹと判定し、ステップＳ６３において差分周波数を“０”にするような受信周波数データを作成し、ステップＳ６４において周波数シンセサイザ４０に供給する。このような動作が繰り返されることにより、受信回路３０は最大振幅を有する周波数に自動的に同調する。
【００８８】
同調動作が完了すると、差分周波数が“０”になるので、周波数同調判定処理部２１は、図４のステップＳ１３においてＹと判定し、ステップＳ１５において周波数同調判定動作中である記憶を解除するとともに、ステップＳ１６においてフィルタ特性切換処理部２２に周波数同調完了を通知する。
【００８９】
フィルタ特性切換処理部２２は、周波数同調判定処理部２１から周波数同調完了の通知を受けると、ステップＳ３３においてＹと判定し、ステップＳ３４において周波数同調完了状態を記憶し、ステップＳ３５において所定の狭い通過特性のフィルタ係数を係数ＲＯＭ６０から取得し、ステップＳ４０においてＤＳＰ１０に供給する。その結果、ＤＳＰ１０には図３に示す狭い通過特性を有するフィルタ係数が設定される。これにより、帯域制限フィルタ１１を通過する信号からは、雑音信号または混信信号が除去されるため、通信の明瞭度が向上する。
【００９０】
相手局との交信が完了し、つぎの相手局を探す場合、ユーザは、周波数変更指示部８０を再度操作する。その結果、周波数データ作成処理部２３は、図６のステップＳ６０においてＹと判定し、ステップＳ６１において操作内容に応じた受信周波数データを生成し、ステップＳ６４において周波数シンセサイザ４０に供給する。これにより、周波数変更指示部８０の操作内容に応じて受信周波数が変更される。このとき、フィルタ特性切換処理部２２は、図５のステップＳ３６においてＹと判定し、ステップＳ３７に進む。ステップＳ３７では、周波数同調完了状態を記憶していることからフィルタ特性切換処理部２２はＹと判定し、ステップＳ３８に進む。ステップＳ３８では、フィルタ特性切換処理部２２は周波数同調完了状態の記憶を解除するとともに、ステップＳ３９において、ステップＳ３１において記憶されているフィルタ特性のフィルタ係数を係数ＲＯＭ６０から取得し、ステップＳ４０においてＤＳＰ１０に供給する。これにより、帯域制限フィルタ１１の特性は、図３に示す特性から図２（Ａ）に示す特性に自動的に変更される。その結果、複数の相手局の受信信号がスピーカ５０から出力されるので、微弱な信号であっても聞き落としを少なくすることができる。また、このような切換処理は自動的に実行されることから、ユーザは、フィルタ特性のための操作を行う必要がない。
【００９１】
そして、新たな相手局が見つかった場合には、前述の場合と同様に、ユーザが同調開始指示部９０を操作し、同調処理が実行された後、帯域制限フィルタ１１が図３の特性に変更される。すなわち、前述の場合と同様の処理が繰り返される。
【００９２】
以上に説明したように、本発明の実施の形態では、同調動作が完了した後に、帯域制限フィルタ１１の通過特性を狭い特性に自動的に変更するようにしたので、交信の明瞭度を向上することができる。
【００９３】
また、本発明の実施の形態では、交信が完了した後に、新たな交信相手を探す際には、帯域制限フィルタ１１の通過特性を狭い特性から、広い特性に変更するようにしたので、相手局を容易に見つけることが可能になる。また、この変更処理は自動的に行われるので、ユーザの操作性を向上できる。
【００９４】
さらに、本発明の実施の形態では、フィルタ特性選択指示部７０によって帯域制限フィルタ１１の特性を変更できるようにしたので、相手局の数または通信状況に応じた最適なフィルタを選択することができる。
【００９５】
（Ｆ）変形実施の態様
【００９６】
なお、上述の実施の形態は、本発明の好適な例であるが、本発明は、これらに限定されるものではなく、本発明の要旨を逸脱しない範囲において、種々の変形、変更が可能である。
【００９７】
例えば、以上の実施の形態では、無線機を例に挙げて説明したが、本発明は、このような場合に限定されるものではなく、これ以外の電子機器に使用することが可能である。
【００９８】
また、以上の実施の形態では、ＣＷ通信を例に挙げて説明したが、これ以外の通信方式に対しても本発明を適用可能であることはいうまでもない。
【００９９】
また、以上の実施の形態では、適応フィルタ１２は、帯域制限フィルタ１１の出力側に接続するようにしたが、入力側に接続するようにしてもよい。
【０１００】
また、以上の実施の形態では、帯域制限フィルタ１１の特性としては、３種類の特性を持たせるようにしたが、２種類以下であったり、４種類以上であったりしてもよい。例えば、５０Ｈｚ、８０Ｈｚ、１００Ｈｚ、１５０Ｈｚ、３００Ｈｚ、４００Ｈｚ、６００Ｈｚ、および、２ｋＨｚの中の全てまたは一部を選択肢として付加するようにしてもよい。
【０１０１】
また、以上の実施の形態では、周波数同調が完了した後に設定される所定の狭い通過特性のフィルタとしては、図３に示す特性のフィルタとしたが、これ以外の特性であってもよい。例えば、前述した５０Ｈｚ、８０Ｈｚ、１００Ｈｚ、１５０Ｈｚ、３００Ｈｚ、４００Ｈｚ、および、６００Ｈｚのいずれかとしてもよい。あるいは、所定の狭い通過特性をユーザが選択できるようにしてもよい。例えば、周波数同調処理が完了した後に、フィルタ特性選択指示部７０が操作されて所定の特性が選択された場合には、当該選択された特性を所定の狭い通過特性のフィルタとして設定するようにしてもよい。
【０１０２】
また、以上の実施の形態では、フィルタ特性選択指示部７０が操作されて選択されるフィルタの特性は、同調処理が完了した際に設定される所定の狭い通過特性のフィルタよりも広いかまたは同一の特性とした。しかしながら、フィルタ特性選択指示部７０が操作されて選択されるフィルタの中に、所定の狭い通過帯域のフィルタよりも狭い帯域の特性が含まれるようにしてもよい。例えば、フィルタ特性選択指示部７０が操作されて選択されるフィルタが図２（Ａ），（Ｂ）および図３の特性の３種類である場合に、所定の狭い通過特性のフィルタとして図２（Ｂ）の特性を選択した場合である。その場合、フィルタ特性選択指示部７０が操作されて、所定の狭い通過特性を有するフィルタよりも狭い通過特性のフィルタが選択されている場合（いまの例では、フィルタ特性選択指示部７０が操作されて図３の特性が選択されている場合）には、図５のステップＳ３５の処理をスキップするようにしてもよい。つまり、そのような場合、ステップＳ３５において「所定の狭い通過特性のフィルタ」のフィルタ係数を読み出してしまうと、現在の通過特性よりも広い帯域特性になってしまうことから、ユーザの意思に反して混信信号を帯域内に含めてしまうことになる可能性があるためである。
【産業上の利用可能性】
【０１０３】
本発明は、例えば、ＣＷ方式を有する無線機に適用することができる。
【図面の簡単な説明】
【０１０４】
【図１】本発明の実施の形態に係る無線機の構成例を示すブロック図である。
【図２】図１に示す帯域制限フィルタの特性の一例を示す図である。
【図３】図１に示す帯域制限フィルタの特性の他の一例を示す図である。
【図４】図１に示す周波数同調判定処理部が実行する処理の流れを説明するフローチャートである。
【図５】図１に示すフィルタ特性切換処理部が実行する処理の流れを説明するフローチャートである。
【図６】図１に示す周波数データ作成処理部が実行する処理の流れを説明するフローチャートである。
【図７】従来の無線機の構成を示す図である。
【図８】従来の無線機の他の構成を示す図である。
【符号の説明】
【０１０５】
１１  帯域制限フィルタ（濾波手段）
１２  適応フィルタ（同調手段の一部）
２１  周波数同調判定処理部（同調手段の一部）
２２  フィルタ特性切換処理部（調整手段）
２３  周波数データ作成処理部（同調手段の一部、変更手段の一部）
３０  受信回路（受信手段）
５０  スピーカ（再生手段）
６０  係数ＲＯＭ（選択手段の一部）
７０  フィルタ特性選択指示部（選択手段の一部）
８０  周波数変更指示部（変更手段の一部）
【図１】
2008288657.tif 000003
【図２】
2008288657.tif 000004
【図３】
2008288657.tif 000005
【図４】
2008288657.tif 000006
【図５】
2008288657.tif 000007
【図６】
2008288657.tif 000008
【図７】
2008288657.tif 000009
【図８】
2008288657.tif 000010